(57)【要約】【課題】  省エネルギー性能を向上させることができるジョブ送信プログラムおよび電子機器を提供する。【解決手段】  印刷ジョブ実行可能状態において印刷ジョブが特定の時間実行されないことによって、印刷ジョブ実行可能状態と比較して消費電力が少ない省エネルギー状態に移行するＭＦＰに印刷ジョブを送信するための印刷ジョブ送信プログラムは、Ｓ１３３において取得されたＭＦＰの状態が省エネルギー状態である場合（Ｓ１３４でＹＥＳ）に、ＭＦＰの消費電力を抑えるための印刷ジョブである省エネルギージョブの送信の指示が受け付けられたとき（Ｓ１３２でＹＥＳ）、この省エネルギージョブの送信を待機し（Ｓ１３５）、ＭＦＰの状態が省エネルギー状態から印刷ジョブ実行可能状態に移行する場合（Ｓ１３８）に、待機中の省エネルギージョブが存在するとき（Ｓ１３６でＹＥＳ）、この省エネルギージョブを送信する（Ｓ１３８）ことを特徴とする。【選択図】  図５
2014235455.tif 000002
【特許請求の範囲】
【請求項１】
ジョブを実行することが可能であるジョブ実行可能状態と、前記ジョブ実行可能状態と比較して消費電力が少ない省エネルギー状態とを有する電子機器に前記ジョブを送信するためのジョブ送信プログラムであって、
前記電子機器の状態を取得する状態取得手段、
前記ジョブを前記電子機器に送信するジョブ送信手段、および、
前記ジョブの送信の指示を受け付ける送信指示受付手段としてコンピューターを機能させ、
前記ジョブ送信手段は、前記状態取得手段によって取得された前記電子機器の状態が前記省エネルギー状態である場合に、前記電子機器の消費電力を抑えるための前記ジョブである省エネルギージョブの送信の指示が前記送信指示受付手段によって受け付けられたとき、前記省エネルギージョブの送信を待機し、
前記ジョブ送信手段は、前記電子機器の状態が前記省エネルギー状態から前記ジョブ実行可能状態に移行する場合に、待機中の前記省エネルギージョブを送信することを特徴とするジョブ送信プログラム。
【請求項２】
前記ジョブ送信手段は、前記状態取得手段によって取得された前記電子機器の状態が前記ジョブ実行可能状態である場合に、前記省エネルギージョブの送信の指示が前記送信指示受付手段によって受け付けられたとき、前記省エネルギージョブを送信することを特徴とする請求項１に記載のジョブ送信プログラム。
【請求項３】
前記ジョブ送信手段は、前記省エネルギージョブ以外の前記ジョブである非省エネルギージョブの送信の指示が前記送信指示受付手段によって受け付けられた場合に、待機中の前記省エネルギージョブが存在するとき、待機中の前記省エネルギージョブと、前記非省エネルギージョブとをこの順番で送信することを特徴とする請求項１または請求項２に記載のジョブ送信プログラム。
【請求項４】
ジョブを実行することが可能であるジョブ実行可能状態と、前記ジョブ実行可能状態と比較して消費電力が少ない省エネルギー状態とを有する電子機器であって、
前記ジョブを受け付けるジョブ受付手段と、
前記ジョブを実行するジョブ実行手段とを備え、
前記ジョブ実行手段は、前記電子機器の状態が前記省エネルギー状態である場合に、前記電子機器の消費電力を抑えるための前記ジョブである省エネルギージョブが前記ジョブ受付手段によって受け付けられたとき、前記省エネルギージョブの実行を待機し、
前記ジョブ実行手段は、前記電子機器の状態が前記省エネルギー状態から前記ジョブ実行可能状態に移行する場合に、待機中の前記省エネルギージョブを実行することを特徴とする電子機器。
【請求項５】
前記ジョブ実行手段は、前記電子機器の状態が前記ジョブ実行可能状態である場合に、前記省エネルギージョブが前記ジョブ受付手段によって受け付けられたとき、前記省エネルギージョブを実行することを特徴とする請求項４に記載の電子機器。
【請求項６】
前記ジョブ実行手段は、前記省エネルギージョブ以外の前記ジョブである非省エネルギージョブが前記ジョブ受付手段によって受け付けられた場合に、待機中の前記省エネルギージョブが存在するとき、待機中の前記省エネルギージョブと、前記非省エネルギージョブとをこの順番で実行することを特徴とする請求項４または請求項５に記載の電子機器。
【発明の詳細な説明】
【技術分野】
【０００１】
本発明は、ジョブを実行することが可能であるジョブ実行可能状態においてジョブが特定の時間実行されないことによって、ジョブ実行可能状態と比較して消費電力が少ない省エネルギー状態に移行する電子機器に関する。
【背景技術】
【０００２】
従来、ジョブを実行することが可能であるジョブ実行可能状態においてジョブが特定の時間実行されないことによって、ジョブ実行可能状態と比較して消費電力が少ない省エネルギー状態に移行する電子機器における省エネルギー対策が知られている（特許文献１、２参照。）。
【先行技術文献】
【特許文献】
【０００３】
【特許文献１】特開２００６−７２２３６号公報
【特許文献２】特開２００８−８７３５３号公報
【発明の概要】
【発明が解決しようとする課題】
【０００４】
しかしながら、特許文献１、２に記載された方法においては、電子機器の状態が省エネルギー状態である場合に電子機器がジョブを受け付けたときに電子機器の状態が省エネルギー状態からジョブ実行可能状態に必ず移行する。このため、電子機器によってジョブが断続的に受け付けられる場合に、電子機器によるジョブの受け付けのタイミングの間隔が、電子機器の状態がジョブ実行可能状態から省エネルギー状態に移行するための特定の時間より長いとき、ジョブ実行可能状態と、省エネルギー状態とが頻繁に切り替わることで省エネルギー性能が低くなってしまうという問題がある。
【０００５】
そこで、本発明は、省エネルギー性能を向上させることができるジョブ送信プログラムおよび電子機器を提供することを目的とする。
【課題を解決するための手段】
【０００６】
本発明のジョブ送信プログラムは、ジョブを実行することが可能であるジョブ実行可能状態と、前記ジョブ実行可能状態と比較して消費電力が少ない省エネルギー状態とを有する電子機器に前記ジョブを送信するためのジョブ送信プログラムであって、前記電子機器の状態を取得する状態取得手段、前記ジョブを前記電子機器に送信するジョブ送信手段、および、前記ジョブの送信の指示を受け付ける送信指示受付手段としてコンピューターを機能させ、前記ジョブ送信手段は、前記状態取得手段によって取得された前記電子機器の状態が前記省エネルギー状態である場合に、前記電子機器の消費電力を抑えるための前記ジョブである省エネルギージョブの送信の指示が前記送信指示受付手段によって受け付けられたとき、前記省エネルギージョブの送信を待機し、前記ジョブ送信手段は、前記電子機器の状態が前記省エネルギー状態から前記ジョブ実行可能状態に移行する場合に、待機中の前記省エネルギージョブを送信することを特徴とする。
【０００７】
この構成により、本発明のジョブ送信プログラムは、電子機器の状態が省エネルギー状態である場合に、省エネルギージョブの送信の指示を受け付けたとき、この省エネルギージョブを電子機器に直ちに送信することを防止する。このため、この省エネルギージョブによって電子機器の状態が省エネルギー状態からジョブ実行可能状態に直ちに移行することを抑えることができる。したがって、本発明のジョブ送信プログラムは、電子機器においてジョブ実行可能状態と、省エネルギー状態とが頻繁に切り替わることを抑えることによって、省エネルギー性能を向上させることができる。
【０００８】
また、本発明のジョブ送信プログラムにおいて、前記ジョブ送信手段は、前記状態取得手段によって取得された前記電子機器の状態が前記ジョブ実行可能状態である場合に、前記省エネルギージョブの送信の指示が前記送信指示受付手段によって受け付けられたとき、前記省エネルギージョブを送信しても良い。
【０００９】
この構成により、本発明のジョブ送信プログラムは、電子機器の状態がジョブ実行可能状態である場合には、電子機器への送信の指示が受け付けられたジョブが省エネルギージョブであっても、この省エネルギージョブを電子機器に直ちに送信する。このため、この省エネルギージョブを電子機器が実行する前に電子機器の状態がジョブ実行可能状態から省エネルギー状態に一旦移行する可能性を低減することができる。したがって、本発明のジョブ送信プログラムは、電子機器においてジョブ実行可能状態と、省エネルギー状態とが頻繁に切り替わることを抑えることによって、省エネルギー性能を向上させることができる。
【００１０】
また、本発明のジョブ送信プログラムにおいて、前記ジョブ送信手段は、前記省エネルギージョブ以外の前記ジョブである非省エネルギージョブの送信の指示が前記送信指示受付手段によって受け付けられた場合に、待機中の前記省エネルギージョブが存在するとき、待機中の前記省エネルギージョブと、前記非省エネルギージョブとをこの順番で送信しても良い。
【００１１】
この構成により、本発明のジョブ送信プログラムは、非省エネルギージョブの送信の指示を受け付けた場合に、待機中の省エネルギージョブが存在するとき、この省エネルギージョブと、この非省エネルギージョブとをこの順番で電子機器に送信する。このため、ジョブを順番通りに電子機器に実行させることができ、結果として、電子機器に利用者の意図通りの順番でジョブを実行させることができる。
【００１２】
本発明の電子機器は、ジョブを実行することが可能であるジョブ実行可能状態と、前記ジョブ実行可能状態と比較して消費電力が少ない省エネルギー状態とを有する電子機器であって、前記ジョブを受け付けるジョブ受付手段と、前記ジョブを実行するジョブ実行手段とを備え、前記ジョブ実行手段は、前記電子機器の状態が前記省エネルギー状態である場合に、前記電子機器の消費電力を抑えるための前記ジョブである省エネルギージョブが前記ジョブ受付手段によって受け付けられたとき、前記省エネルギージョブの実行を待機し、前記ジョブ実行手段は、前記電子機器の状態が前記省エネルギー状態から前記ジョブ実行可能状態に移行する場合に、待機中の前記省エネルギージョブを実行することを特徴とする。
【００１３】
この構成により、本発明の電子機器は、省エネルギー状態である場合に、省エネルギージョブを受け付けたとき、この省エネルギージョブを直ちに実行することを防止する。このため、この省エネルギージョブによって省エネルギー状態からジョブ実行可能状態に直ちに移行することを抑えることができる。したがって、本発明の電子機器は、ジョブ実行可能状態と、省エネルギー状態とが頻繁に切り替わることを抑えることによって、省エネルギー性能を向上させることができる。
【００１４】
また、本発明の電子機器において、前記ジョブ実行手段は、前記電子機器の状態が前記ジョブ実行可能状態である場合に、前記省エネルギージョブが前記ジョブ受付手段によって受け付けられたとき、前記省エネルギージョブを実行しても良い。
【００１５】
この構成により、本発明の電子機器は、ジョブ実行可能状態である場合には、受け付けたジョブが省エネルギージョブであっても、この省エネルギージョブを直ちに実行する。このため、この省エネルギージョブを実行する前にジョブ実行可能状態から省エネルギー状態に一旦移行する可能性を低減することができる。したがって、本発明の電子機器は、ジョブ実行可能状態と、省エネルギー状態とが頻繁に切り替わることを抑えることによって、省エネルギー性能を向上させることができる。
【００１６】
また、本発明の電子機器において、前記ジョブ実行手段は、前記省エネルギージョブ以外の前記ジョブである非省エネルギージョブが前記ジョブ受付手段によって受け付けられた場合に、待機中の前記省エネルギージョブが存在するとき、待機中の前記省エネルギージョブと、この非省エネルギージョブとをこの順番で実行しても良い。
【００１７】
この構成により、本発明の電子機器は、非省エネルギージョブを受け付けた場合に、待機中の省エネルギージョブが存在するとき、この省エネルギージョブと、この非省エネルギージョブとをこの順番で実行する。このため、利用者の意図通りの順番でジョブを実行することができる。
【発明の効果】
【００１８】
本発明のジョブ送信プログラムおよび電子機器は、省エネルギー性能を向上させることができる。
【図面の簡単な説明】
【００１９】
【図１】本発明の第１の実施の形態に係る画像形成システムのブロック図である。
【図２】図１に示すＭＦＰのブロック図である。
【図３】図１に示すコンピューターのブロック図である。
【図４】図２に示すＭＦＰの動作のフローチャートである。
【図５】データ印刷ジョブの送信の指示が入力された場合の図３に示すコンピューターの動作のフローチャートである。
【図６】待機ジョブが記憶されている場合の図３に示すコンピューターの動作のフローチャートである。
【図７】（ａ）は、２つの印刷ジョブのうち先の印刷ジョブが実行された後、印刷ジョブ実行可能状態から省エネルギー状態に状態が移行してから、後の印刷ジョブが実行された場合の図２に示すＭＦＰにおける消費電力の一例を示す図である。（ｂ）は、２つの印刷ジョブのうち先の印刷ジョブが実行された後、印刷ジョブ実行可能状態から省エネルギー状態に状態が移行する前に、後の印刷ジョブが実行された場合の図２に示すＭＦＰにおける消費電力の一例を示す図である。
【図８】本発明の第２の実施の形態に係るＭＦＰのブロック図である。
【図９】本発明の第２の実施の形態に係るコンピューターのブロック図である。
【図１０】データ印刷ジョブの送信の指示が入力された場合の図９に示すコンピューターの動作のフローチャートである。
【図１１】図８に示すＭＦＰの動作のフローチャートである。
【発明を実施するための形態】
【００２０】
以下、本発明の実施の形態について、図面を用いて説明する。
【００２１】
（第１の実施の形態）
まず、本発明の第１の実施の形態に係る画像形成システム１０の構成について説明する。
【００２２】
図１は、本実施の形態に係る画像形成システム１０のブロック図である。
【００２３】
図１に示すように、画像形成システム１０は、電子機器としてのＭＦＰ（Ｍｕｌｔｉｆｕｎｃｔｉｏｎ  Ｐｅｒｉｐｈｅｒａｌ）２０と、ＭＦＰ２０が実行するジョブである印刷ジョブをＭＦＰ２０に送信するための例えばＰＣ（Ｐｅｒｓｏｎａｌ  Ｃｏｍｐｕｔｅｒ）などのコンピューター３０とを備えている。ＭＦＰ２０と、コンピューター３０とは、ＬＡＮ（Ｌｏｃａｌ  Ａｒｅａ  Ｎｅｔｗｏｒｋ）、インターネットなどのネットワーク１１を介して互いに通信可能に接続されている。
【００２４】
図２は、ＭＦＰ２０のブロック図である。
【００２５】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶装置である記憶部２７と、ＭＦＰ２０全体を制御する制御部２８とを備えている。
【００２６】
ＭＦＰ２０は、印刷ジョブを実行することが可能であるジョブ実行可能状態としての印刷ジョブ実行可能状態において印刷ジョブが特定の時間実行されないことによって、印刷ジョブ実行可能状態と比較して消費電力が少ない省エネルギー状態に移行する電子機器である。ここで、印刷ジョブ実行可能状態は、印刷ジョブを実行する準備が整っているレディー状態と、実際に印刷ジョブを実行している印刷状態とを含んでいる。
【００２７】
なお、印刷ジョブとは、プリンター２４によって記録媒体に画像を印刷するジョブである。例えば、印刷ジョブには、スキャナー２３によって原稿から読み取った画像をプリンター２４によって記録媒体に印刷するコピー印刷ジョブと、ファックス通信部２５を介してＦＡＸ受信したＦＡＸ画像をプリンター２４によって記録媒体に印刷するＦＡＸ印刷ジョブと、ネットワーク通信部２６を介して受信した印刷データに基づいた画像をプリンター２４によって記録媒体に印刷するデータ印刷ジョブとが含まれている。
【００２８】
操作部２１は、表示部２２とともにタッチパネルを形成する入力デバイスを含んでいても良い。
【００２９】
記憶部２７は、ジョブを実行するためのジョブ実行プログラム２７ａを記憶している。ジョブ実行プログラム２７ａは、ＭＦＰ２０の製造段階でＭＦＰ２０にインストールされていても良いし、ＵＳＢ（Ｕｎｉｖｅｒｓａｌ  Ｓｅｒｉａｌ  Ｂｕｓ）メモリー、ＳＤカードなどの記憶媒体からＭＦＰ２０に追加でインストールされても良いし、ネットワーク１１上からＭＦＰ２０に追加でインストールされても良い。
【００３０】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行するようになっている。
【００３１】
制御部２８は、記憶部２７に記憶されているジョブ実行プログラム２７ａを実行することによって、ジョブを受け付けるジョブ受付手段２８ａ、および、ジョブを実行するジョブ実行手段２８ｂとして機能する。
【００３２】
図３は、コンピューター３０のブロック図である。
【００３３】
図３に示すように、コンピューター３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信を行うネットワーク通信デバイスであるネットワーク通信部３３と、プログラムおよび各種のデータを記憶しているＨＤＤなどの不揮発性の記憶装置である記憶部３４と、コンピューター３０全体を制御する制御部３５とを備えている。
【００３４】
記憶部３４は、ＭＦＰ２０（図１参照。）に印刷ジョブを送信するためのジョブ送信プログラムとしての印刷ジョブ送信プログラム３４ａを記憶している。印刷ジョブ送信プログラム３４ａは、コンピューター３０の製造段階でコンピューター３０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの記憶媒体からコンピューター３０に追加でインストールされても良いし、ネットワーク１１上からコンピューター３０に追加でインストールされても良い。
【００３５】
記憶部３４は、ＭＦＰ２０への送信が待機させられているデータ印刷ジョブである待機ジョブ３４ｂを待機させられた順番で記憶することができるようになっている。
【００３６】
制御部３５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３４に記憶されているプログラムを実行するようになっている。
【００３７】
制御部３５は、記憶部３４に記憶されている印刷ジョブ送信プログラム３４ａを実行することによって、ＭＦＰ２０の状態を取得する状態取得手段３５ａ、印刷ジョブをＭＦＰ２０に送信するジョブ送信手段としての印刷ジョブ送信手段３５ｂ、および、印刷ジョブの送信の指示を受け付ける送信指示受付手段としての印刷ジョブ送信指示受付手段３５ｃとして機能する。
【００３８】
次に、画像形成システム１０の動作について説明する。
【００３９】
まず、ＭＦＰ２０の動作について説明する。
【００４０】
ＭＦＰ２０の制御部２８は、図４に示す動作を定期的に繰り返す。
【００４１】
図４は、ＭＦＰ２０の動作のフローチャートである。
【００４２】
図４に示すように、制御部２８のジョブ受付手段２８ａは、印刷ジョブが入力されたか否かを判断する（Ｓ１０１）。ここで、コピー印刷ジョブは、操作部２１を介して入力される。また、ＦＡＸ印刷ジョブは、ファックス通信部２５を介して入力される。また、データ印刷ジョブは、ネットワーク通信部２６を介して入力される。
【００４３】
ジョブ受付手段２８ａは、印刷ジョブが入力されたとＳ１０１において判断すると、入力された印刷ジョブを受け付ける（Ｓ１０２）。
【００４４】
次いで、制御部２８のジョブ実行手段２８ｂは、ＭＦＰ２０の状態が省エネルギー状態であるか否かを判断する（Ｓ１０３）。
【００４５】
ジョブ実行手段２８ｂは、ＭＦＰ２０の状態が省エネルギー状態であるとＳ１０３において判断すると、ＭＦＰ２０の状態を省エネルギー状態から印刷ジョブ実行可能状態に移行する（Ｓ１０４）。なお、ＭＦＰ２０の状態を省エネルギー状態から印刷ジョブ実行可能状態に移行させるためにＳ１０２において受け付けられる印刷ジョブとしては、コピー印刷ジョブ、ＦＡＸ印刷ジョブ、データ印刷ジョブなど、全ての種類の印刷ジョブが該当する。特に、データ印刷ジョブとしては、コンピューター３０から送信されたデータ印刷ジョブだけでなく、コンピューター３０以外のコンピューターから送信されたデータ印刷ジョブであっても良い。
【００４６】
ジョブ実行手段２８ｂは、ＭＦＰ２０の状態が省エネルギー状態ではないとＳ１０３において判断するか、Ｓ１０４の処理を終了すると、Ｓ１０２において受け付けられた印刷ジョブを実行する（Ｓ１０５）。
【００４７】
ジョブ実行手段２８ｂは、印刷ジョブが入力されなかったとＳ１０１において判断されると、ＭＦＰ２０の状態が省エネルギー状態であるか否かを判断する（Ｓ１０６）。
【００４８】
ジョブ実行手段２８ｂは、ＭＦＰ２０の状態が省エネルギー状態ではないとＳ１０６において判断すると、印刷ジョブが特定の時間実行されていないか否かを判断する（Ｓ１０７）。
【００４９】
制御部２８は、印刷ジョブが特定の時間実行されていないとＳ１０７において判断すると、ＭＦＰ２０の状態を印刷ジョブ実行可能状態から省エネルギー状態に移行する（Ｓ１０８）。
【００５０】
制御部２８は、Ｓ１０５またはＳ１０８の処理を終了するか、ＭＦＰ２０の状態が省エネルギー状態であるとＳ１０６において判断するか、印刷ジョブが特定の時間実行されていなくはないとＳ１０７において判断すると、図４に示す動作を終了する。
【００５１】
次に、データ印刷ジョブの送信の指示が入力された場合のコンピューター３０の動作について説明する。
【００５２】
コンピューター３０の制御部３５の印刷ジョブ送信指示受付手段３５ｃは、ＭＦＰ２０に送信する予定のデータ印刷ジョブに対して、ＭＦＰ２０の消費電力を抑えるための印刷ジョブである省エネルギージョブか否かの設定の指示を操作部３１を介して受け付けることが可能である。
【００５３】
ＭＦＰ２０へのデータ印刷ジョブの送信の指示が操作部３１に入力されると、制御部３５は、図５に示す動作を実行する。
【００５４】
図５は、データ印刷ジョブの送信の指示が入力された場合のコンピューター３０の動作のフローチャートである。
【００５５】
図５に示すように、印刷ジョブ送信指示受付手段３５ｃは、操作部３１に入力された、ＭＦＰ２０へのデータ印刷ジョブの送信の指示を受け付ける（Ｓ１３１）。
【００５６】
次いで、制御部３５の印刷ジョブ送信手段３５ｂは、Ｓ１３１において送信の指示が受け付けられたデータ印刷ジョブが省エネルギージョブとして設定されているか否かを判断する（Ｓ１３２）。
【００５７】
制御部３５の状態取得手段３５ａは、データ印刷ジョブが省エネルギージョブとして設定されているとＳ１３２において判断されると、ＭＦＰ２０の状態をネットワーク通信部３３を介してＭＦＰ２０から取得する（Ｓ１３３）。
【００５８】
次いで、印刷ジョブ送信手段３５ｂは、Ｓ１３３において取得したＭＦＰ２０の状態が省エネルギー状態であるか否かを判断する（Ｓ１３４）。
【００５９】
印刷ジョブ送信手段３５ｂは、ＭＦＰ２０の状態が省エネルギー状態であるとＳ１３４において判断すると、Ｓ１３１において送信の指示が受け付けられたデータ印刷ジョブを待機ジョブ３４ｂとして記憶部３４に記憶させる（Ｓ１３５）。ここで、印刷ジョブ送信手段３５ｂは、ＭＦＰ２０に対する待機ジョブ３４ｂが既に記憶部３４に記憶されている場合、新たに記憶部３４に記憶させる待機ジョブ３４ｂを、既に記憶部３４に記憶されている待機ジョブ３４ｂより順番が後になるように、記憶部３４に記憶させる。
【００６０】
印刷ジョブ送信手段３５ｂは、Ｓ１３１において送信の指示が受け付けられたデータ印刷ジョブが省エネルギージョブとして設定されていないとＳ１３２において判断するか、ＭＦＰ２０の状態が省エネルギー状態ではないとＳ１３４において判断すると、ＭＦＰ２０に対する待機ジョブ３４ｂが記憶部３４に記憶されているか否かを判断する（Ｓ１３６）。
【００６１】
印刷ジョブ送信手段３５ｂは、待機ジョブ３４ｂが記憶部３４に記憶されていないとＳ１３６において判断すると、Ｓ１３１において送信の指示が受け付けられたデータ印刷ジョブをネットワーク通信部３３を介してＭＦＰ２０に送信する（Ｓ１３７）。したがって、ＭＦＰ２０は、上述したように、ネットワーク通信部２６を介してコンピューター３０から受信したデータ印刷ジョブを実行する（Ｓ１０５）。特に、ＭＦＰ２０は、省エネルギー状態である場合には（Ｓ１０３でＹＥＳ）、省エネルギー状態から印刷ジョブ実行可能状態に移行した後（Ｓ１０４）、データ印刷ジョブを実行する（Ｓ１０５）。
【００６２】
印刷ジョブ送信手段３５ｂは、待機ジョブ３４ｂが記憶部３４に記憶されているとＳ１３６において判断すると、記憶部３４に記憶されているＭＦＰ２０に対する待機ジョブ３４ｂと、Ｓ１３１において送信の指示が受け付けられたデータ印刷ジョブとを順番通りに、ネットワーク通信部３３を介してＭＦＰ２０に送信し（Ｓ１３８）、ＭＦＰ２０に送信した待機ジョブ３４ｂを記憶部３４から削除する（Ｓ１３９）。したがって、ＭＦＰ２０は、上述したように、ネットワーク通信部２６を介してコンピューター３０から受信したデータ印刷ジョブを順番通りに実行する（Ｓ１０５）。特に、ＭＦＰ２０は、省エネルギー状態である場合には（Ｓ１０３でＹＥＳ）、省エネルギー状態から印刷ジョブ実行可能状態に移行した後（Ｓ１０４）、データ印刷ジョブを順番通りに実行する（Ｓ１０５）。
【００６３】
制御部３５は、Ｓ１３５、Ｓ１３７またはＳ１３９の処理の終了後、図５に示す動作を終了する。
【００６４】
次に、待機ジョブ３４ｂが記憶部３４に記憶されている場合のコンピューター３０の動作について説明する。
【００６５】
制御部３５は、待機ジョブ３４ｂが記憶部３４に記憶されている場合に、図６に示す動作を実行する。
【００６６】
図６は、待機ジョブ３４ｂが記憶部３４に記憶されている場合のコンピューター３０の動作のフローチャートである。
【００６７】
図６に示すように、状態取得手段３５ａは、ＭＦＰ２０の状態をネットワーク通信部３３を介してＭＦＰ２０から取得する（Ｓ１６１）。
【００６８】
次いで、印刷ジョブ送信手段３５ｂは、Ｓ１６１において取得されたＭＦＰ２０の状態が省エネルギー状態であるか否かを判断する（Ｓ１６２）。
【００６９】
印刷ジョブ送信手段３５ｂは、ＭＦＰ２０の状態が省エネルギー状態ではないとＳ１６２において判断すると、記憶部３４に記憶されているＭＦＰ２０に対する待機ジョブ３４ｂを順番通りに、ネットワーク通信部３３を介してＭＦＰ２０に送信し（Ｓ１６３）、ＭＦＰ２０に送信した待機ジョブ３４ｂを記憶部３４から削除する（Ｓ１６４）。したがって、ＭＦＰ２０は、上述したように、ネットワーク通信部２６を介してコンピューター３０から受信したデータ印刷ジョブを順番通りに実行する（Ｓ１０５）。
【００７０】
制御部３５は、ＭＦＰ２０の状態が省エネルギー状態であるとＳ１６２において判断するか、Ｓ１６４の処理を終了すると、図６に示す動作を終了する。
【００７１】
以上に説明したように、印刷ジョブ送信プログラム３４ａは、ＭＦＰ２０の状態が省エネルギー状態である場合に（Ｓ１３４でＹＥＳ）、省エネルギージョブの送信の指示を受け付けたとき（Ｓ１３２でＹＥＳ）、この省エネルギージョブをＭＦＰ２０に直ちに送信することを防止する（Ｓ１３５）ので、この省エネルギージョブによってＭＦＰ２０の状態が省エネルギー状態から印刷ジョブ実行可能状態に直ちに移行する（Ｓ１０４）ことを抑えることができる。したがって、印刷ジョブ送信プログラム３４ａは、ＭＦＰ２０において印刷ジョブ実行可能状態と、省エネルギー状態とが頻繁に切り替わることを抑えることによって、省エネルギー性能を向上させることができる。
【００７２】
ここで、ＭＦＰ２０において印刷ジョブ実行可能状態と、省エネルギー状態とが頻繁に切り替わることを抑えることによって、省エネルギー性能を向上させることができる仕組みについて、具体的に説明する。
【００７３】
図７（ａ）は、２つの印刷ジョブのうち先の印刷ジョブが実行された後、ＭＦＰ２０の状態が印刷ジョブ実行可能状態から省エネルギー状態に移行してから、後の印刷ジョブが実行された場合のＭＦＰ２０における消費電力の一例を示す図である。図７（ｂ）は、２つの印刷ジョブのうち先の印刷ジョブが実行された後、ＭＦＰ２０の状態が印刷ジョブ実行可能状態から省エネルギー状態に移行する前に、後の印刷ジョブが実行された場合のＭＦＰ２０における消費電力の一例を示す図である。
【００７４】
図７において、時間ｔ１は、ＭＦＰ２０が先の印刷ジョブの実行のために省エネルギー状態からレディー状態への移行を開始した時点を示している。時間ｔ２は、ＭＦＰ２０がレディー状態である場合に先の印刷ジョブの実行を開始した時点を示している。時間ｔ３は、ＭＦＰ２０が先の印刷ジョブの実行を終了した時点を示している。時間ｔ４は、ＭＦＰ２０がレディー状態から省エネルギー状態への移行を開始した時点を示している。時間ｔ５は、ＭＦＰ２０がレディー状態から省エネルギー状態への移行を終了した時点を示している。時間ｔ６は、ＭＦＰ２０が後の印刷ジョブの実行のために省エネルギー状態からレディー状態への移行を開始した時点を示している。時間ｔ７は、ＭＦＰ２０がレディー状態である場合に後の印刷ジョブの実行を開始した時点を示している。時間ｔ８は、ＭＦＰ２０が後の印刷ジョブの実行を終了した時点を示している。時間ｔ９は、ＭＦＰ２０がレディー状態から省エネルギー状態への移行を開始した時点を示している。時間ｔ１０は、ＭＦＰ２０がレディー状態から省エネルギー状態への移行を終了した時点を示している。
【００７５】
図７（ｂ）に示す場合の総消費電力は、図７（ａ）に示す場合の総消費電力と比較して、図７（ａ）にハッチングで示した部分４１の分だけ少ない。図７（ｂ）に示す例では、先の印刷ジョブの実行と、後の印刷ジョブの実行との間にレディー状態が存在するが、ＭＦＰ２０は、先の印刷ジョブの実行と、後の印刷ジョブの実行との間のレディー状態を無くすように先の印刷ジョブと、後の印刷ジョブとを連続して実行するようにすれば、更に図７（ｂ）にハッチングで示した部分４２の分だけ、総消費電力を低減することができる。なお、図７に示す例では、２つの印刷ジョブの例であるが、印刷ジョブの数が多いほど、総消費電力の低減の効果が大きくなる。
【００７６】
以上に説明したように、ＭＦＰ２０は、複数の印刷ジョブを実行する場合に、印刷ジョブ実行可能状態と、省エネルギー状態とが頻繁に切り替わらないようなタイミングで各印刷ジョブを実行することによって、総消費電力を低減することができる。
【００７７】
印刷ジョブ送信プログラム３４ａは、図５に示すように、ＭＦＰ２０の状態が省エネルギー状態から印刷ジョブ実行可能状態に移行する場合に（Ｓ１３８）、待機中の省エネルギージョブが存在するとき（Ｓ１３６でＹＥＳ）、この省エネルギージョブをＭＦＰ２０に送信する（Ｓ１３８）。また、印刷ジョブ送信プログラム３４ａは、図６に示すように、ＭＦＰ２０の状態が省エネルギー状態から印刷ジョブ実行可能状態に移行する場合に（Ｓ１６２でＮＯ）、待機中の省エネルギージョブが存在するとき、この省エネルギージョブをＭＦＰ２０に送信する（Ｓ１６３）。したがって、印刷ジョブ送信プログラム３４ａは、複数の印刷ジョブを纏めてＭＦＰ２０に送信することによって、複数の印刷ジョブを連続してＭＦＰ２０に実行させることができ、結果として、ＭＦＰ２０における総消費電力を低減することができる。
【００７８】
印刷ジョブ送信プログラム３４ａは、ＭＦＰ２０の状態が印刷ジョブ実行可能状態である場合には（Ｓ１３４でＮＯ）、ＭＦＰ２０への送信の指示が受け付けられたデータ印刷ジョブが省エネルギージョブであっても（Ｓ１３２でＹＥＳ）、この省エネルギージョブをＭＦＰ２０に直ちに送信する（Ｓ１３７またはＳ１３８）。このため、この省エネルギージョブをＭＦＰ２０が実行する前にＭＦＰ２０の状態が印刷ジョブ実行可能状態から省エネルギー状態に一旦移行する可能性を低減することができる。したがって、印刷ジョブ送信プログラム３４ａは、ＭＦＰ２０において印刷ジョブ実行可能状態と、省エネルギー状態とが頻繁に切り替わることを抑えることによって、省エネルギー性能を向上させることができる。
【００７９】
印刷ジョブ送信プログラム３４ａは、省エネルギージョブ以外の印刷ジョブである非省エネルギージョブの送信の指示を受け付けた場合に（Ｓ１３２でＮＯ）、待機中の省エネルギージョブが存在するとき（Ｓ１３６でＹＥＳ）、この省エネルギージョブと、この非省エネルギージョブとをこの順番でＭＦＰ２０に送信する（Ｓ１３８）。このため、印刷ジョブを順番通りにＭＦＰ２０に実行させることができ、結果として、ＭＦＰ２０に利用者の意図通りの順番で印刷ジョブを実行させることができる。
【００８０】
（第２の実施の形態）
まず、本発明の第２の実施の形態に係る画像形成システムの構成について説明する。
【００８１】
なお、本実施の形態に係る画像形成システムの構成のうち、第１の実施の形態に係る画像形成システム１０（図１参照。）の構成と同様の構成については、画像形成システム１０の構成と同一の符号を付して詳細な説明を省略する。
【００８２】
図８は、ＭＦＰ２２０のブロック図である。図９は、コンピューター２３０のブロック図である。
【００８３】
本実施の形態に係る画像形成システムの構成は、電子機器としてのＭＦＰ２２０（図８参照。）と、コンピューター２３０（図８参照。）とをＭＦＰ２０（図１参照。）およびコンピューター３０（図１参照。）に代えて画像形成システム１０が備えた構成と同様である。
【００８４】
図８に示すように、ＭＦＰ２２０の構成は、記憶部２７に記憶される情報と、制御部２８によって実現される機能とを除いて、ＭＦＰ２０（図２参照。）の構成と同様である。
【００８５】
記憶部２７は、ジョブを実行するためのジョブ実行プログラム２２７ａを記憶している。ジョブ実行プログラム２２７ａは、ＭＦＰ２２０の製造段階でＭＦＰ２２０にインストールされていても良いし、ＵＳＢメモリー、ＳＤカードなどの記憶媒体からＭＦＰ２２０に追加でインストールされても良いし、ネットワーク１１（図１参照。）上からＭＦＰ２２０に追加でインストールされても良い。
【００８６】
記憶部２７は、実行が待機させられているデータ印刷ジョブである待機ジョブ２２７ｂを待機させられた順番で記憶することができるようになっている。
【００８７】
制御部２８は、記憶部２７に記憶されているジョブ実行プログラム２２７ａを実行することによって、ジョブを受け付けるジョブ受付手段としてのジョブ受付手段２２８ａ、および、ジョブを実行するジョブ実行手段としてのジョブ実行手段２２８ｂとして機能する。
【００８８】
図９に示すように、コンピューター２３０の構成は、記憶部３４に記憶される情報と、制御部３５によって実現される機能とを除いて、コンピューター３０（図３参照。）の構成と同様である。
【００８９】
記憶部３４は、ＭＦＰ２２０（図８参照。）に印刷ジョブを送信するための印刷ジョブ送信プログラム２３４ａを記憶している。印刷ジョブ送信プログラム２３４ａは、コンピューター２３０の製造段階でコンピューター２３０にインストールされていても良いし、ＣＤ、ＤＶＤなどの記憶媒体からコンピューター２３０に追加でインストールされても良いし、ネットワーク１１（図１参照。）上からコンピューター２３０に追加でインストールされても良い。
【００９０】
制御部３５は、記憶部３４に記憶されている印刷ジョブ送信プログラム２３４ａを実行することによって、印刷ジョブをＭＦＰ２２０に送信する印刷ジョブ送信手段２３５ａ、および、印刷ジョブの送信の指示を受け付ける印刷ジョブ送信指示受付手段２３５ｂとして機能する。
【００９１】
次に、本実施の形態に係る画像形成システムの動作について説明する。
【００９２】
まず、データ印刷ジョブの送信の指示が入力された場合のコンピューター２３０の動作について説明する。
【００９３】
コンピューター２３０の制御部３５の印刷ジョブ送信指示受付手段２３５ｂは、ＭＦＰ２２０に送信する予定のデータ印刷ジョブに対して、ＭＦＰ２２０の消費電力を抑えるための印刷ジョブである省エネルギージョブか否かの設定の指示を操作部３１を介して受け付けることが可能である。
【００９４】
ＭＦＰ２２０へのデータ印刷ジョブの送信の指示が操作部３１に入力されると、制御部３５は、図１０に示す動作を実行する。
【００９５】
図１０は、データ印刷ジョブの送信の指示が入力された場合のコンピューター２３０の動作のフローチャートである。
【００９６】
図１０に示すように、印刷ジョブ送信指示受付手段２３５ｂは、操作部３１に入力された、ＭＦＰ２２０へのデータ印刷ジョブの送信の指示を受け付ける（Ｓ３３１）。
【００９７】
次いで、制御部３５の印刷ジョブ送信手段２３５ａは、Ｓ３３１において送信の指示が受け付けられたデータ印刷ジョブが省エネルギージョブとして設定されているか否かを判断する（Ｓ３３２）。
【００９８】
印刷ジョブ送信手段２３５ａは、データ印刷ジョブが省エネルギージョブとして設定されているとＳ３３２において判断すると、省エネルギージョブであることを示す省エネルギージョブ情報をデータ印刷ジョブに追加する（Ｓ３３３）。
【００９９】
印刷ジョブ送信手段２３５ａは、データ印刷ジョブが省エネルギージョブとして設定されていないとＳ３３２において判断するか、Ｓ３３３の処理を実行すると、データ印刷ジョブをネットワーク通信部３３を介してＭＦＰ２２０に送信して（Ｓ３３４）、図１０に示す動作を終了する。
【０１００】
次に、ＭＦＰ２２０の動作について説明する。
【０１０１】
ＭＦＰ２２０の制御部２８は、図１１に示す動作を定期的に繰り返す。
【０１０２】
図１１は、ＭＦＰ２２０の動作のフローチャートである。
【０１０３】
図１１に示すように、制御部２８のジョブ受付手段２２８ａは、印刷ジョブが入力されたか否かを判断する（Ｓ３０１）。ここで、コピー印刷ジョブは、操作部２１を介して入力される。また、ＦＡＸ印刷ジョブは、ファックス通信部２５を介して入力される。また、データ印刷ジョブは、ネットワーク通信部２６を介して入力される。
【０１０４】
ジョブ受付手段２２８ａは、印刷ジョブが入力されたとＳ３０１において判断すると、入力された印刷ジョブを受け付ける（Ｓ３０２）。
【０１０５】
次いで、制御部２８のジョブ実行手段２２８ｂは、ＭＦＰ２２０の状態が省エネルギー状態であるか否かを判断する（Ｓ３０３）。
【０１０６】
ジョブ実行手段２２８ｂは、ＭＦＰ２２０の状態が省エネルギー状態であるとＳ３０３において判断すると、Ｓ３０２において受け付けられた印刷ジョブが省エネルギージョブであるか否かを判断する（Ｓ３０４）。ここで、ジョブ実行手段２２８ｂは、印刷ジョブに省エネルギージョブ情報が含まれている場合に、この印刷ジョブが省エネルギージョブであると判断する。
【０１０７】
ジョブ実行手段２２８ｂは、印刷ジョブが省エネルギージョブであるとＳ３０４において判断すると、Ｓ３０２において受け付けられた印刷ジョブである省エネルギージョブを待機ジョブ２２７ｂとして記憶部２７に記憶させる（Ｓ３０５）。ここで、ジョブ実行手段２２８ｂは、待機ジョブ２２７ｂが既に記憶部２７に記憶されている場合、新たに記憶部２７に記憶させる待機ジョブ２２７ｂを、既に記憶部２７に記憶されている待機ジョブ２２７ｂより順番が後になるように、記憶部２７に記憶させる。
【０１０８】
ジョブ実行手段２２８ｂは、印刷ジョブが省エネルギージョブではないとＳ３０４において判断すると、ＭＦＰ２２０の状態を省エネルギー状態から印刷ジョブ実行可能状態に移行する（Ｓ３０６）。
【０１０９】
次いで、ジョブ実行手段２２８ｂは、待機ジョブ２２７ｂが記憶部２７に記憶されているか否かを判断する（Ｓ３０７）。
【０１１０】
ジョブ実行手段２２８ｂは、ＭＦＰ２２０の状態が省エネルギー状態ではないとＳ３０３において判断するか、待機ジョブ２２７ｂが記憶部２７に記憶されていないとＳ３０７において判断すると、Ｓ３０２において受け付けられた印刷ジョブを実行する（Ｓ３０８）。
【０１１１】
ジョブ実行手段２２８ｂは、待機ジョブ２２７ｂが記憶部２７に記憶されているとＳ３０７において判断すると、Ｓ３０２において受け付けられた印刷ジョブがデータ印刷ジョブであるか否かを判断する（Ｓ３０９）。
【０１１２】
ジョブ実行手段２２８ｂは、印刷ジョブがデータ印刷ジョブではないとＳ３０９において判断すると、Ｓ３０２において受け付けられた印刷ジョブを実行した後（Ｓ３１０）、記憶部２７に記憶されている待機ジョブ２２７ｂを順番通りに実行する（Ｓ３１１）。
【０１１３】
ジョブ実行手段２２８ｂは、印刷ジョブがデータ印刷ジョブであるとＳ３０９において判断すると、記憶部２７に記憶されている待機ジョブ２２７ｂと、Ｓ３０２において受け付けられた印刷ジョブであるデータ印刷ジョブとを順番通りに実行する（Ｓ３１２）。
【０１１４】
ジョブ実行手段２２８ｂは、Ｓ３１１またはＳ３１２の処理の後、待機ジョブ２２７ｂを記憶部２７から削除する（Ｓ３１３）。
【０１１５】
ジョブ実行手段２２８ｂは、印刷ジョブが入力されなかったとＳ３０１において判断されると、ＭＦＰ２２０の状態が省エネルギー状態であるか否かを判断する（Ｓ３１４）。
【０１１６】
ジョブ実行手段２２８ｂは、ＭＦＰ２２０の状態が省エネルギー状態ではないとＳ３１４において判断すると、印刷ジョブが特定の時間実行されていないか否かを判断する（Ｓ３１５）。
【０１１７】
制御部２８は、印刷ジョブが特定の時間実行されていないとＳ３１５において判断すると、ＭＦＰ２２０の状態を印刷ジョブ実行可能状態から省エネルギー状態に移行する（Ｓ３１６）。
【０１１８】
制御部２８は、Ｓ３０５、Ｓ３０８、Ｓ３１３またはＳ３１６の処理を終了するか、ＭＦＰ２２０の状態が省エネルギー状態であるとＳ３１４において判断するか、印刷ジョブが特定の時間実行されていなくはないとＳ３１５において判断すると、図１１に示す動作を終了する。
【０１１９】
以上に説明したように、ＭＦＰ２２０は、省エネルギー状態である場合に（Ｓ３０３でＹＥＳ）、省エネルギージョブを受け付けたとき（Ｓ３０４でＹＥＳ）、この省エネルギージョブを直ちに実行することを防止する（Ｓ３０５）。このため、この省エネルギージョブによって省エネルギー状態から印刷ジョブ実行可能状態に直ちに移行する（Ｓ３０６）ことを抑えることができる。したがって、ＭＦＰ２２０は、印刷ジョブ実行可能状態と、省エネルギー状態とが頻繁に切り替わることを抑えることによって、省エネルギー性能を向上させることができる。
【０１２０】
ＭＦＰ２２０は、図１１に示すように、ＭＦＰ２２０の状態が省エネルギー状態から印刷ジョブ実行可能状態に移行する場合に（Ｓ３０６）、待機中の省エネルギージョブが存在するとき（Ｓ３０７でＹＥＳ）、この省エネルギージョブを実行する（Ｓ３１１またはＳ３１２）。したがって、ＭＦＰ２２０は、複数の印刷ジョブを纏めて実行することによって、複数の印刷ジョブを連続して実行することができ、結果として、ＭＦＰ２２０における総消費電力を低減することができる。
【０１２１】
ＭＦＰ２２０は、印刷ジョブ実行可能状態である場合には（Ｓ３０３でＮＯ）、受け付けたデータ印刷ジョブが省エネルギージョブであっても、この省エネルギージョブを直ちに実行する（Ｓ３０８）。このため、この省エネルギージョブを実行する前に印刷ジョブ実行可能状態から省エネルギー状態に一旦移行する可能性を低減することができる。したがって、ＭＦＰ２２０は、印刷ジョブ実行可能状態と、省エネルギー状態とが頻繁に切り替わることを抑えることによって、省エネルギー性能を向上させることができる。
【０１２２】
ＭＦＰ２２０は、省エネルギージョブ以外の印刷ジョブである非省エネルギージョブを受け付けた場合に（Ｓ３０４でＮＯ）、待機中の省エネルギージョブが存在するとき（Ｓ３０７でＹＥＳ）、この省エネルギージョブと、この非省エネルギージョブとをこの順番で実行する（Ｓ３１２）。このため、利用者の意図通りの順番で印刷ジョブを実行させることができる。
【０１２３】
なお、本発明の電子機器は、上述の各実施の形態においてＭＦＰであるが、受け付けたジョブを実行することが可能であるジョブ実行可能状態においてジョブが特定の時間実行されないことによって、ジョブ実行可能状態と比較して消費電力が少ない省エネルギー状態に移行する電子機器であれば、プリンター専用機、コピー専用機、ＦＡＸ専用機など、ＭＦＰ以外の画像形成装置であっても良いし、画像形成装置以外の電子機器であっても良い。
【符号の説明】
【０１２４】
２０  ＭＦＰ（電子機器）
３０  コンピューター
３４ａ  印刷ジョブ送信プログラム（ジョブ送信プログラム）
３４ｂ  待機ジョブ（待機中の省エネルギージョブ）
３５ａ  状態取得手段
３５ｂ  印刷ジョブ送信手段（ジョブ送信手段）
３５ｃ  印刷ジョブ送信指示受付手段（送信指示受付手段）
２２０  ＭＦＰ（電子機器）
２２７ｂ  待機ジョブ（待機中の省エネルギージョブ）
２２８ａ  ジョブ受付手段（ジョブ受付手段）
２２８ｂ  ジョブ実行手段（ジョブ実行手段）
【図１】
2014235455.tif 000003
【図２】
2014235455.tif 000004
【図３】
2014235455.tif 000005
【図４】
2014235455.tif 000006
【図５】
2014235455.tif 000007
【図６】
2014235455.tif 000008
【図７】
2014235455.tif 000009
【図８】
2014235455.tif 000010
【図９】
2014235455.tif 000011
【図１０】
2014235455.tif 000012
【図１１】
2014235455.tif 000013